(57)【要約】【課題】  大型化を来たすことなく鏡筒ケースに対するレンズ保持枠及びナット部材の組付性の向上を図る。【解決手段】  被ガイド部２０、２１とナット支持部１８を有するレンズ保持枠１１と、ナット支持部に回動可能に支持されたナット部材１４と、ナット部材に噛合されレンズ保持枠を移動させるリードスクリュー１５と、レンズ保持枠を光軸方向へ案内するガイド部１２、１３とを設け、挿入開口部４ａを有する鏡筒ケース４にガイド部とリードスクリューとレンズ保持枠が収納されて取り付けられ、ナット部材を支持するレンズ保持枠が挿入開口部から挿入されて鏡筒ケースに収納され、ナット部材がリードスクリューに噛合される噛合位置と鏡筒ケースへの挿入時に保持される保持位置との間で回動可能とされ、レンズ保持枠のナット支持部にナット部材を保持位置に保持する保持部２２ａを設けた。【選択図】        図１５
2012145837.tif 000002
【特許請求の範囲】
【請求項１】
被ガイド部とナット支持部を有すると共にレンズを保持するレンズ保持枠と、
前記ナット支持部に前記レンズの光軸の軸回り方向へ回動可能に支持されたナット部材と、
前記ナット部材に噛合され軸回り方向へ回転することにより前記レンズ保持枠を移動させるリードスクリューと、
前記レンズ保持枠の被ガイド部に挿入されると共に前記レンズ保持枠が前記リードスクリューの回転によって移動されるときに前記レンズ保持枠を前記光軸方向へ案内するガイド部とを備え、
挿入開口部を有する鏡筒ケースに前記ガイド部と前記リードスクリューと前記レンズ保持枠が収納されて取り付けられ、
前記ナット部材を支持するレンズ保持枠が前記挿入開口部から挿入されて前記鏡筒ケースに収納され、
前記ナット部材が前記リードスクリューに噛合される噛合位置と前記鏡筒ケースへの挿入時に保持される保持位置との間で回動可能とされ、
前記レンズ保持枠のナット支持部に前記ナット部材を前記保持位置に保持する保持部を設けた
レンズ駆動装置。
【請求項２】
前記レンズ保持枠を前記被ガイド部が前記ガイド部に前記光軸に直交する方向から押し付けられる方向へ付勢すると共に前記ナット部材を前記リードスクリューに前記光軸に直交する方向から押し付ける方向へ付勢する付勢バネを設け、
前記付勢バネの付勢力によって前記ナット部材の一部を前記保持部に押し付けて前記ナット部材を前記保持位置に保持するようにした
請求項１に記載のレンズ駆動装置。
【請求項３】
前記付勢バネによって前記ナット部材が前記光軸方向へ付勢され、
前記付勢バネの付勢力によって前記ナット部材の一部を前記保持部に押し付けて前記ナット部材を前記保持位置に保持するようにした
請求項１に記載のレンズ駆動装置。
【請求項４】
前記レンズ保持枠を前記被ガイド部が前記ガイド部に前記光軸に直交する方向から押し付けられる方向へ付勢すると共に前記ナット部材を前記リードスクリューに前記光軸に直交する方向から押し付ける方向へ付勢し、かつ、前記ナット部材を前記光軸方向へ付勢する付勢バネを設け、
前記付勢バネの前記光軸に直交する方向及び前記光軸方向における付勢力によって前記ナット部材の一部を前記保持部に押し付けて前記ナット部材を前記保持位置に保持するようにした
請求項１に記載のレンズ駆動装置。
【請求項５】
前記鏡筒ケースの内部に前記ナット部材の前記保持位置への保持状態を解除する解除部を設けた
請求項１に記載のレンズ駆動装置。
【請求項６】
前記リードスクリューは前記保持位置にある前記ナット部材に噛合され所定の方向へ移動されて前記鏡筒ケースに取り付けられ、
前記リードスクリューの前記所定の方向への移動時に前記ナット部材が前記ナット支持部に対して回動されて前記保持位置への保持状態が解除されるようにした
請求項１に記載のレンズ駆動装置。
【請求項７】
前記ナット部材又は前記ナット支持部の一方に軸部が設けられ他方に前記軸部が挿入される軸受部が設けられて前記ナット部材が前記ナット支持部に前記レンズの光軸の軸回り方向へ回動可能に支持され、
前記軸部と前記軸受部にそれぞれ軸方向に直交する方向へ突出され先細りの形状を有し互いに接触される軸側楔部と受側楔部が形成された
請求項１に記載のレンズ駆動装置。
【請求項８】
前記付勢バネによって前記ナット部材が前記光軸方向へ付勢された
請求項７に記載のレンズ駆動装置。
【請求項９】
前記付勢バネとして圧縮コイルバネを用いた
請求項７に記載のレンズ駆動装置。
【請求項１０】
前記付勢バネをコイル部と前記コイル部の軸方向における一端から突出された第１の係合部と前記コイル部の軸方向における他端から突出された第２の係合部とによって構成し、
前記第１の係合部を前記ナット部材に係合し、
前記第２の係合部を前記レンズ保持枠に係合し、
前記ナット部材と前記レンズ保持枠が前記コイル部の軸回り方向において互いに反対方向へ付勢されるようにした
請求項７に記載のレンズ駆動装置。
【請求項１１】
前記被ガイド部に軸方向に直交する方向へ突出され先細りの形状を有する被ガイド側楔部が形成された
請求項１に記載のレンズ駆動装置。
【請求項１２】
前記ガイド部の表面にフッ素コーティングを施した
請求項１に記載のレンズ駆動装置。
【請求項１３】
前記レンズ保持枠の被ガイド部における前記ガイド部と接触する部分にフッ素コーティングを施した
請求項１に記載のレンズ駆動装置。
【請求項１４】
少なくとも一つのレンズが内部に配置され挿入開口部を有する鏡筒ケースと、
被ガイド部とナット支持部を有すると共にレンズを保持するレンズ保持枠と、
前記ナット支持部に前記レンズの光軸の軸回り方向へ回動可能に支持されたナット部材と、
前記ナット部材に噛合され軸回り方向へ回転することにより前記レンズ保持枠を移動させるリードスクリューと、
前記レンズ保持枠の被ガイド部に挿入されると共に前記レンズ保持枠が前記リードスクリューの回転によって移動されるときに前記レンズ保持枠を前記光軸方向へ案内するガイド部とを備え、
前記鏡筒ケースに前記ガイド部と前記リードスクリューと前記レンズ保持枠が収納されて取り付けられ、
前記ナット部材を支持するレンズ保持枠が前記挿入開口部から挿入されて前記鏡筒ケースに収納され、
前記ナット部材が前記リードスクリューに噛合される噛合位置と前記鏡筒ケースへの挿入時に保持される保持位置との間で回動可能とされ、
前記レンズ保持枠のナット支持部に前記ナット部材を前記保持位置に保持する保持部を設けた
レンズ鏡筒。
【請求項１５】
内部に光学系が配置されたレンズ鏡筒と前記光学系を介して取り込まれた光学像を電気的信号に変換する撮像素子とを備え、
前記レンズ鏡筒は、
少なくとも一つのレンズが内部に配置され挿入開口部を有する鏡筒ケースと、
被ガイド部とナット支持部を有すると共にレンズを保持するレンズ保持枠と、
前記ナット支持部に前記レンズの光軸の軸回り方向へ回動可能に支持されたナット部材と、
前記ナット部材に噛合され軸回り方向へ回転することにより前記レンズ保持枠を移動させるリードスクリューと、
前記レンズ保持枠の被ガイド部に挿入されると共に前記レンズ保持枠が前記リードスクリューの回転によって移動されるときに前記レンズ保持枠を前記光軸方向へ案内するガイド部とを備え、
前記鏡筒ケースに前記ガイド部と前記リードスクリューと前記レンズ保持枠が収納されて取り付けられ、
前記ナット部材を支持するレンズ保持枠が前記挿入開口部から挿入されて前記鏡筒ケースに収納され、
前記ナット部材が前記リードスクリューに噛合される噛合位置と前記鏡筒ケースへの挿入時に保持される保持位置との間で回動可能とされ、
前記レンズ保持枠のナット支持部に前記ナット部材を前記保持位置に保持する保持部を設けた
撮像装置。
【発明の詳細な説明】
【技術分野】
【０００１】
本発明はレンズ駆動装置、レンズ鏡筒及び撮像装置についての技術分野に関する。詳しくは、レンズ保持枠のナット支持部にナット部材を保持位置に保持する保持部を設けて鏡筒ケースに対するレンズ保持枠及びナット部材の組付性の向上を図る技術分野に関する。
【背景技術】
【０００２】
ビデオカメラやスチルカメラ等の各種の撮像装置は、内部にレンズ等の光学系が配置されたレンズ鏡筒が設けられ、レンズ鏡筒の光学系を介して被写体の画像が取り込まれることにより撮影が行われる。
【０００３】
このような撮像装置にあっては、レンズ鏡筒の光学系が複数のレンズ群を有し一部のレンズ群が光軸方向へ移動されてズーミングやフォーカシングが行われるように構成されたレンズ駆動装置を備えたものがある（例えば、特許文献１参照）。
【０００４】
特許文献１に記載されたレンズ駆動装置は、レンズを保持するレンズ保持枠のナット支持部にリードスクリューと噛合されたナット部材が光軸の軸回り方向へ回動可能に支持されている。
【０００５】
レンズ鏡筒は鏡筒ケースに所要の各部が配置されて成り、鏡筒ケースには、例えば、前方の開口部である挿入開口部と上方の開口部である挿通孔とが形成されている。ナット部材はレンズ保持枠とともに挿入開口部から鏡筒ケースに挿入され、鏡筒ケースに挿入された状態において挿通孔に位置される。ナット部材が挿通孔に位置されると、リードスクリューが鏡筒ケースの挿通孔に上方から挿入されてナット部材に噛合される。
【０００６】
【特許文献１】特開２００９−１３９５１６号公報
【発明の開示】
【発明が解決しようとする課題】
【０００７】
ところが、ナット部材は上方から鏡筒ケースに挿入されるリードスクリューと噛合されるため、レンズ保持枠から上方へ突出する状態でナット支持部に支持されている。
【０００８】
従って、鏡筒ケースの挿入開口部にレンズ保持枠とナット部材を挿入しようとするときに、挿入開口部の開口縁にナット部材が接触し易い状態にあり、鏡筒ケースに対するレンズ保持枠及びナット部材の組付性が損なわれるおそれがある。
【０００９】
また、鏡筒ケースに対するレンズ保持枠及びナット部材の組付性の向上を図るために、挿入開口部の大きさを大きくすると、鏡筒ケースが大きくなってしまい撮像装置が大型化してしまう。
【００１０】
そこで、本発明レンズ駆動装置、レンズ鏡筒及び撮像装置は、上記した問題点を克服し、大型化を来たすことなく鏡筒ケースに対するレンズ保持枠及びナット部材の組付性の向上を図ることを課題とする。
【課題を解決するための手段】
【００１１】
レンズ駆動装置は、上記した課題を解決するために、被ガイド部とナット支持部を有すると共にレンズを保持するレンズ保持枠と、前記ナット支持部に前記レンズの光軸の軸回り方向へ回動可能に支持されたナット部材と、前記ナット部材に噛合され軸回り方向へ回転することにより前記レンズ保持枠を移動させるリードスクリューと、前記レンズ保持枠の被ガイド部に挿入されると共に前記レンズ保持枠が前記リードスクリューの回転によって移動されるときに前記レンズ保持枠を前記光軸方向へ案内するガイド部とを備え、挿入開口部を有する鏡筒ケースに前記ガイド部と前記リードスクリューと前記レンズ保持枠が収納されて取り付けられ、前記ナット部材を支持するレンズ保持枠が前記挿入開口部から挿入されて前記鏡筒ケースに収納され、前記ナット部材が前記リードスクリューに噛合される噛合位置と前記鏡筒ケースへの挿入時に保持される保持位置との間で回動可能とされ、前記レンズ保持枠のナット支持部に前記ナット部材を前記保持位置に保持する保持部を設けたものである。
【００１２】
従って、レンズ駆動装置にあっては、ナット部材が保持位置に保持された状態において鏡筒ケースに対してレンズ保持枠及びナット部材が挿入開口部から鏡筒ケースに挿入可能とされる。
【００１３】
上記したレンズ駆動装置においては、前記レンズ保持枠を前記被ガイド部が前記ガイド部に前記光軸に直交する方向から押し付けられる方向へ付勢すると共に前記ナット部材を前記リードスクリューに前記光軸に直交する方向から押し付ける方向へ付勢する付勢バネを設け、前記付勢バネの付勢力によって前記ナット部材の一部を前記保持部に押し付けて前記ナット部材を前記保持位置に保持することが望ましい。
【００１４】
付勢バネの付勢力によってナット部材の一部を保持部に押し付けてナット部材を保持位置に保持することにより、ナット部材を保持位置に保持するための専用のバネ部材が不要になる。
【００１５】
上記したレンズ駆動装置においては、前記付勢バネによって前記ナット部材が前記光軸方向へ付勢され、前記付勢バネの付勢力によって前記ナット部材の一部を前記保持部に押し付けて前記ナット部材を前記保持位置に保持することが望ましい。
【００１６】
付勢バネの付勢力によってナット部材の一部を保持部に押し付けてナット部材を保持位置に保持することにより、ナット部材を保持位置に保持するための専用のバネ部材が不要になる。
【００１７】
上記したレンズ駆動装置においては、前記レンズ保持枠を前記被ガイド部が前記ガイド部に前記光軸に直交する方向から押し付けられる方向へ付勢すると共に前記ナット部材を前記リードスクリューに前記光軸に直交する方向から押し付ける方向へ付勢し、かつ、前記ナット部材を前記光軸方向へ付勢する付勢バネを設け、前記付勢バネの前記光軸に直交する方向及び前記光軸方向における付勢力によって前記ナット部材の一部を前記保持部に押し付けて前記ナット部材を前記保持位置に保持することが望ましい。
【００１８】
付勢バネの付勢力によってナット部材の一部を保持部に押し付けてナット部材を保持位置に保持することにより、ナット部材を保持位置に保持するための専用のバネ部材が不要になる。
【００１９】
上記したレンズ駆動装置においては、前記鏡筒ケースの内部に前記ナット部材の前記保持位置への保持状態を解除する解除部を設けることが望ましい。
【００２０】
鏡筒ケースの内部にナット部材の保持位置への保持状態を解除する解除部を設けることにより、レンズ保持枠及びナット部材が鏡筒ケースに収納されたときにナット部材が噛合位置へ向けて回動可能とされる。
【００２１】
上記したレンズ駆動装置においては、前記リードスクリューは前記保持位置にある前記ナット部材に噛合され所定の方向へ移動されて前記鏡筒ケースに取り付けられ、前記リードスクリューの前記所定の方向への移動時に前記ナット部材が前記ナット支持部に対して回動されて前記保持位置への保持状態が解除されるようにすることが望ましい。
【００２２】
リードスクリューの所定の方向への移動時にナット部材がナット支持部に対して回動されて保持位置への保持状態が解除されるようにすることにより、リードスクリューの鏡筒ケースに対する取付時にナット部材の保持位置における保持状態が解除される。
【００２３】
上記したレンズ駆動装置においては、前記ナット部材又は前記ナット支持部の一方に軸部が設けられ他方に前記軸部が挿入される軸受部が設けられて前記ナット部材が前記ナット支持部に前記レンズの光軸の軸回り方向へ回動可能に支持され、前記軸部と前記軸受部にそれぞれ軸方向に直交する方向へ突出され先細りの形状を有し互いに接触される軸側楔部と受側楔部が形成されることが望ましい。
【００２４】
軸部と軸受部にそれぞれ軸方向に直交する方向へ突出され先細りの形状を有し互いに接触される軸側楔部と受側楔部が形成されることにより、軸部の回動支点から軸受部の軸部との接点までの距離が小さくなる。
【００２５】
上記したレンズ駆動装置においては、前記付勢バネによって前記ナット部材が前記光軸方向へ付勢されることが望ましい。
【００２６】
付勢バネによってナット部材が光軸方向へ付勢されることにより、ナット部材が光軸方向においてナット支持部に押し付けられる。
【００２７】
上記したレンズ駆動装置においては、前記付勢バネとして圧縮コイルバネを用いることが望ましい。
【００２８】
付勢バネとして圧縮コイルバネを用いることにより、圧縮コイルバネによって各部が所望の方向へ付勢される。
【００２９】
上記したレンズ駆動装置においては、前記付勢バネをコイル部と前記コイル部の軸方向における一端から突出された第１の係合部と前記コイル部の軸方向における他端から突出された第２の係合部とによって構成し、前記第１の係合部を前記ナット部材に係合し、前記第２の係合部を前記レンズ保持枠に係合し、前記ナット部材と前記レンズ保持枠が前記コイル部の軸回り方向において互いに反対方向へ付勢されることが望ましい。
【００３０】
ナット部材とレンズ保持枠がコイル部の軸回り方向において互いに反対方向へ付勢されるようにすることにより、ナット部材とレンズ保持枠がそれぞれリードスクリューとガイド部に押し付けられる方向へ付勢される。
【００３１】
上記したレンズ駆動装置においては、前記被ガイド部に軸方向に直交する方向へ突出され先細りの形状を有する被ガイド側楔部が形成されることが望ましい。
【００３２】
被ガイド部に軸方向に直交する方向へ突出され先細りの形状を有する被ガイド側楔部が形成されることにより、レンズ保持枠のガイド部に対する摺動抵抗が小さくなる。
【００３３】
上記したレンズ駆動装置においては、前記ガイド部の表面にフッ素コーティングを施すことが望ましい。
【００３４】
ガイド部の表面にフッ素コーティングを施すことにより、レンズ保持枠がガイド部によって案内されるときの摺動抵抗が小さくなる。
【００３５】
上記したレンズ駆動装置においては、前記レンズ保持枠の被ガイド部における前記ガイド部と接触する部分にフッ素コーティングを施すことが望ましい。
【００３６】
レンズ保持枠の被ガイド部におけるガイド部と接触する部分にフッ素コーティングを施すことにより、レンズ保持枠がガイド部によって案内されるときの摺動抵抗が小さくなる。
【００３７】
レンズ鏡筒は、上記した課題を解決するために、少なくとも一つのレンズが内部に配置され挿入開口部を有する鏡筒ケースと、被ガイド部とナット支持部を有すると共にレンズを保持するレンズ保持枠と、前記ナット支持部に前記レンズの光軸の軸回り方向へ回動可能に支持されたナット部材と、前記ナット部材に噛合され軸回り方向へ回転することにより前記レンズ保持枠を移動させるリードスクリューと、前記レンズ保持枠の被ガイド部に挿入されると共に前記レンズ保持枠が前記リードスクリューの回転によって移動されるときに前記レンズ保持枠を前記光軸方向へ案内するガイド部とを備え、前記鏡筒ケースに前記ガイド部と前記リードスクリューと前記レンズ保持枠が収納されて取り付けられ、前記ナット部材を支持するレンズ保持枠が前記挿入開口部から挿入されて前記鏡筒ケースに収納され、前記ナット部材が前記リードスクリューに噛合される噛合位置と前記鏡筒ケースへの挿入時に保持される保持位置との間で回動可能とされ、前記レンズ保持枠のナット支持部に前記ナット部材を前記保持位置に保持する保持部を設けたものである。
【００３８】
従って、レンズ鏡筒にあっては、ナット部材が保持位置に保持された状態において鏡筒ケースに対してレンズ保持枠及びナット部材が挿入開口部から鏡筒ケースに挿入可能とされる。
【００３９】
撮像装置は、上記した課題を解決するために、内部に光学系が配置されたレンズ鏡筒と前記光学系を介して取り込まれた光学像を電気的信号に変換する撮像素子とを備え、前記レンズ鏡筒は、少なくとも一つのレンズが内部に配置され挿入開口部を有する鏡筒ケースと、被ガイド部とナット支持部を有すると共にレンズを保持するレンズ保持枠と、前記ナット支持部に前記レンズの光軸の軸回り方向へ回動可能に支持されたナット部材と、前記ナット部材に噛合され軸回り方向へ回転することにより前記レンズ保持枠を移動させるリードスクリューと、前記レンズ保持枠の被ガイド部に挿入されると共に前記レンズ保持枠が前記リードスクリューの回転によって移動されるときに前記レンズ保持枠を前記光軸方向へ案内するガイド部とを備え、前記鏡筒ケースに前記ガイド部と前記リードスクリューと前記レンズ保持枠が収納されて取り付けられ、前記ナット部材を支持するレンズ保持枠が前記挿入開口部から挿入されて前記鏡筒ケースに収納され、前記ナット部材が前記リードスクリューに噛合される噛合位置と前記鏡筒ケースへの挿入時に保持される保持位置との間で回動可能とされ、前記レンズ保持枠のナット支持部に前記ナット部材を前記保持位置に保持する保持部を設けたものである。
【００４０】
従って、撮像装置にあっては、ナット部材が保持位置に保持された状態において鏡筒ケースに対してレンズ保持枠及びナット部材が挿入開口部から鏡筒ケースに挿入可能とされる。
【発明の効果】
【００４１】
本発明レンズ駆動装置は、被ガイド部とナット支持部を有すると共にレンズを保持するレンズ保持枠と、前記ナット支持部に前記レンズの光軸の軸回り方向へ回動可能に支持されたナット部材と、前記ナット部材に噛合され軸回り方向へ回転することにより前記レンズ保持枠を移動させるリードスクリューと、前記レンズ保持枠の被ガイド部に挿入されると共に前記レンズ保持枠が前記リードスクリューの回転によって移動されるときに前記レンズ保持枠を前記光軸方向へ案内するガイド部とを備え、挿入開口部を有する鏡筒ケースに前記ガイド部と前記リードスクリューと前記レンズ保持枠が収納されて取り付けられ、前記ナット部材を支持するレンズ保持枠が前記挿入開口部から挿入されて前記鏡筒ケースに収納され、前記ナット部材が前記リードスクリューに噛合される噛合位置と前記鏡筒ケースへの挿入時に保持される保持位置との間で回動可能とされ、前記レンズ保持枠のナット支持部に前記ナット部材を前記保持位置に保持する保持部を設けている。
【００４２】
従って、大型化を来たすことなく鏡筒ケースに対するレンズ保持枠及びナット部材の組付性の向上を図ることができる。
【００４３】
請求項２に記載した発明にあっては、前記レンズ保持枠を前記被ガイド部が前記ガイド部に前記光軸に直交する方向から押し付けられる方向へ付勢すると共に前記ナット部材を前記リードスクリューに前記光軸に直交する方向から押し付ける方向へ付勢する付勢バネを設け、前記付勢バネの付勢力によって前記ナット部材の一部を前記保持部に押し付けて前記ナット部材を前記保持位置に保持するようにしている。
【００４４】
従って、ナット部材を保持位置に保持するための専用のバネ部材を必要とせず、部品点数の削減による製造コストの低減を図ることができる。
【００４５】
請求項３に記載した発明にあっては、前記付勢バネによって前記ナット部材が前記光軸方向へ付勢され、前記付勢バネの付勢力によって前記ナット部材の一部を前記保持部に押し付けて前記ナット部材を前記保持位置に保持するようにしている。
【００４６】
従って、ナット部材を保持位置に保持するための専用のバネ部材を必要とせず、部品点数の削減による製造コストの低減を図ることができる。
【００４７】
請求項４に記載した発明にあっては、前記レンズ保持枠を前記被ガイド部が前記ガイド部に前記光軸に直交する方向から押し付けられる方向へ付勢すると共に前記ナット部材を前記リードスクリューに前記光軸に直交する方向から押し付ける方向へ付勢し、かつ、前記ナット部材を前記光軸方向へ付勢する付勢バネを設け、前記付勢バネの前記光軸に直交する方向及び前記光軸方向における付勢力によって前記ナット部材の一部を前記保持部に押し付けて前記ナット部材を前記保持位置に保持するようにしている。
【００４８】
従って、ナット部材を保持位置に保持するための専用のバネ部材を必要とせず、部品点数の削減による製造コストの低減を図ることができる。
【００４９】
請求項５に記載した発明にあっては、前記鏡筒ケースの内部に前記ナット部材の前記保持位置への保持状態を解除する解除部を設けている。
【００５０】
従って、レンズ保持枠及びナット部材が鏡筒ケースに収納されたときにナット部材が噛合位置へ向けて回動され、リードスクリューのナット部材への組付を迅速かつ円滑に行うことができる。
【００５１】
請求項６に記載した発明にあっては、前記リードスクリューは前記保持位置にある前記ナット部材に噛合され所定の方向へ移動されて前記鏡筒ケースに取り付けられ、前記リードスクリューの前記所定の方向への移動時に前記ナット部材が前記ナット支持部に対して回動されて前記保持位置への保持状態が解除されるようにしている。
【００５２】
従って、ナット部材の保持位置における保持状態を解除するための専用の部品が不要であり、ナット部材の保持位置における保持状態の解除をリードスクリューの鏡筒ケースへの取付時に簡単かつ確実に行うことができる。
【００５３】
請求項７に記載した発明にあっては、前記ナット部材又は前記ナット支持部の一方に軸部が設けられ他方に前記軸部が挿入される軸受部が設けられて前記ナット部材が前記ナット支持部に前記レンズの光軸の軸回り方向へ回動可能に支持され、前記軸部と前記軸受部にそれぞれ軸方向に直交する方向へ突出され先細りの形状を有し互いに接触される軸側楔部と受側楔部が形成されている。
【００５４】
従って、リードスクリューの回転時にリードスクリューの回転軸が偏心するようなうねりが発生したときに、このうねりによって発生する振動等がナット部材からレンズ保持枠を介してレンズに大きな振動等として伝達されることがなく、像揺れや像飛び等の発生を抑制することができる。
【００５５】
請求項８に記載した発明にあっては、前記付勢バネによって前記ナット部材が前記光軸方向へ付勢されている。
【００５６】
従って、ナット部材とレンズ保持枠の間のがたつきが防止され、レンズ保持枠に保持されたレンズの光軸方向における位置が安定化され、レンズに対する位置検出の精度が向上し、ズーミングやフォーカシングの動作の信頼性の向上を図ることができる。
【００５７】
請求項９に記載した発明にあっては、前記付勢バネとして圧縮コイルバネを用いている。
【００５８】
従って、簡素な機構によって各部を付勢バネによって所望の方向へ付勢することができ、部品点数の削減及び製造コストの低減を図ることができる。
【００５９】
請求項１０に記載した発明にあっては、前記付勢バネをコイル部と前記コイル部の軸方向における一端から突出された第１の係合部と前記コイル部の軸方向における他端から突出された第２の係合部とによって構成し、前記第１の係合部を前記ナット部材に係合し、前記第２の係合部を前記レンズ保持枠に係合し、前記ナット部材と前記レンズ保持枠が前記コイル部の軸回り方向において互いに反対方向へ付勢されるようにしている。
【００６０】
従って、ナット部材とレンズ保持枠を確実かつ容易に所望の方向へ付勢することができ、部品点数の削減及び製造コストの低減を図った上で、各部の適正な動作状態を確保することができる。
【００６１】
請求項１１に記載した発明にあっては、前記被ガイド部に軸方向に直交する方向へ突出され先細りの形状を有する被ガイド側楔部が形成されている。
【００６２】
従って、レンズ保持枠のガイド部に対する摺動抵抗が小さくなり、レンズ保持枠がガイド部に対して円滑に光軸方向へ移動され、像揺れや像飛び等の発生を抑制することができる。
【００６３】
請求項１２に記載した発明にあっては、前記ガイド部の表面にフッ素コーティングを施している。
【００６４】
従って、レンズ保持枠がガイド部によって案内されるときの摺動抵抗を小さくしてレンズ保持枠の円滑な移動状態を確保することができる。
【００６５】
請求項１３に記載した発明にあっては、前記レンズ保持枠の被ガイド部における前記ガイド部と接触する部分にフッ素コーティングを施している。
【００６６】
従って、レンズ保持枠がガイド部によって案内されるときの摺動抵抗を小さくしてレンズ保持枠の円滑な移動状態を確保することができる。
【００６７】
本発明レンズ鏡筒は、少なくとも一つのレンズが内部に配置され挿入開口部を有する鏡筒ケースと、被ガイド部とナット支持部を有すると共にレンズを保持するレンズ保持枠と、前記ナット支持部に前記レンズの光軸の軸回り方向へ回動可能に支持されたナット部材と、前記ナット部材に噛合され軸回り方向へ回転することにより前記レンズ保持枠を移動させるリードスクリューと、前記レンズ保持枠の被ガイド部に挿入されると共に前記レンズ保持枠が前記リードスクリューの回転によって移動されるときに前記レンズ保持枠を前記光軸方向へ案内するガイド部とを備え、前記鏡筒ケースに前記ガイド部と前記リードスクリューと前記レンズ保持枠が収納されて取り付けられ、前記ナット部材を支持するレンズ保持枠が前記挿入開口部から挿入されて前記鏡筒ケースに収納され、前記ナット部材が前記リードスクリューに噛合される噛合位置と前記鏡筒ケースへの挿入時に保持される保持位置との間で回動可能とされ、前記レンズ保持枠のナット支持部に前記ナット部材を前記保持位置に保持する保持部を設けている。
【００６８】
従って、大型化を来たすことなく鏡筒ケースに対するレンズ保持枠及びナット部材の組付性の向上を図ることができる。
【００６９】
本発明撮像装置は、内部に光学系が配置されたレンズ鏡筒と前記光学系を介して取り込まれた光学像を電気的信号に変換する撮像素子とを備え、前記レンズ鏡筒は、少なくとも一つのレンズが内部に配置され挿入開口部を有する鏡筒ケースと、被ガイド部とナット支持部を有すると共にレンズを保持するレンズ保持枠と、前記ナット支持部に前記レンズの光軸の軸回り方向へ回動可能に支持されたナット部材と、前記ナット部材に噛合され軸回り方向へ回転することにより前記レンズ保持枠を移動させるリードスクリューと、前記レンズ保持枠の被ガイド部に挿入されると共に前記レンズ保持枠が前記リードスクリューの回転によって移動されるときに前記レンズ保持枠を前記光軸方向へ案内するガイド部とを備え、前記鏡筒ケースに前記ガイド部と前記リードスクリューと前記レンズ保持枠が収納されて取り付けられ、前記ナット部材を支持するレンズ保持枠が前記挿入開口部から挿入されて前記鏡筒ケースに収納され、前記ナット部材が前記リードスクリューに噛合される噛合位置と前記鏡筒ケースへの挿入時に保持される保持位置との間で回動可能とされ、前記レンズ保持枠のナット支持部に前記ナット部材を前記保持位置に保持する保持部を設けている。
【００７０】
従って、大型化を来たすことなく鏡筒ケースに対するレンズ保持枠及びナット部材の組付性の向上を図ることができる。
【発明を実施するための最良の形態】
【００７１】
以下に、本発明を実施するための最良の形態を添付図面に従って説明する。
【００７２】
以下に示した最良の形態は、本発明撮像装置をビデオカメラに適用し、本発明レンズ鏡筒をこのビデオカメラに設けられたレンズ鏡筒に適用し、本発明レンズ駆動装置をこのビデオカメラに設けられたレンズ駆動装置に適用したものである。尚、本発明の適用範囲はビデオカメラに限られることはなく、例えば、スチルカメラや他の機器に組み込まれる各種の撮像装置、レンズ鏡筒及びレンズ駆動装置に広く適用することができる。
【００７３】
以下の説明にあっては、ビデオカメラの撮影時において撮影者から見た方向で前後上下左右の方向を示すものとする。従って、被写体側が前方となり、撮影者側が後方となる。
【００７４】
尚、以下に示す前後上下左右の方向は説明の便宜上のものであり、本発明の実施に関しては、これらの方向に限定されることはない。
【００７５】
［撮像装置の構成］
撮像装置１は外筐２の内外に所要の各部が配置されて成る（図１乃至図４参照）。外筐２の外面には図示しない複数の操作部が配置されている。操作部としては、例えば、電源釦、録画釦、ズームスイッチ、モード切替摘子等が設けられている。
【００７６】
撮像装置１には図示しない表示パネルやビューファインダー等の各部が設けられている。
【００７７】
外筐２の内部にはレンズ鏡筒３が配置されている。レンズ鏡筒３は鏡筒ケース４と鏡筒ケース４の前面に取り付けられた蓋部材５とを有している。
【００７８】
鏡筒ケース４は前後に延びる略角筒状に形成され、前側の開口が挿入開口部４ａとして形成されている。鏡筒ケース４の上端部には上下に貫通され前後に延びる挿通孔４ｂが形成され、挿通孔４ｂは鏡筒ケース４の左半部における後端部を除く部分に形成されている。鏡筒ケース４には挿通孔４ｂの後側に連続して上方及び前方に開口された配置用凹部４ｃが形成されている。
【００７９】
鏡筒ケース４の内部における上端寄りの位置には解除部４ｄが設けられている（図１参照）。解除部４ｄは配置用凹部４ｃを形成する壁部の前面から前方へ突出され、先細りとなるような傾斜面を有している。
【００８０】
鏡筒ケース４の内部には軸受突部４ｅ、４ｅが設けられ、軸受突部４ｅ、４ｅにはそれぞれ前方に開口された図示しない受け凹部が形成されている。一方の軸受突部４ｅは後端部における上端寄りの位置に設けられ、他方の軸受突部４ｅは後端寄りの位置における下端寄りの位置に設けられている。
【００８１】
蓋部材５は外形が略矩形状に形成され、円形状の光透過孔５ａを有している（図１乃至図３参照）。蓋部材５には上端寄りの位置に前後に貫通された軸挿通孔５ｂが形成されている。蓋部材５には下端寄りの位置に後方へ突出された軸受突部５ｃが設けられ、軸受突部５ｃに前後に貫通された軸挿通孔５ｄが形成されている。
【００８２】
蓋部材５は鏡筒ケース４の前面に挿入開口部４ａを閉塞する状態で取り付けられる。
【００８３】
蓋部材５の前面にはレンズ保持部材６が取り付けられる（図１参照）。レンズ保持部材６は前後方向に延びる略円筒状に形成されたレンズ保持部６ａとレンズ保持部６ａの後端寄りの位置から外方へ張り出されたフランジ部６ｂとから成る。
【００８４】
レンズ保持部材６のレンズ保持部６ａには、例えば、２枚のレンズ７、７が前後に並んで保持され、レンズ７、７によって第１レンズ群が構成されている。
【００８５】
レンズ保持部材６はフランジ部６ｂが蓋部材５の前面に取り付けられ、レンズ保持部６ａのうちフランジ部６ｂの後側に位置する部分が蓋部材５の光透過孔５ａに挿入されて配置される。
【００８６】
鏡筒ケース４の内部における後端寄りの位置にはレンズホルダー８が配置されている（図４参照）。レンズホルダー８には第３レンズ群として機能する少なくとも一つのレンズ９が保持されている。
【００８７】
鏡筒ケース４の後端部には図示しないホルダーが取り付けられ、ホルダーには第５レンズ群として機能するレンズと撮像素子が前後に並んだ状態で保持されている。
【００８８】
鏡筒ケース４の内部におけるレンズホルダー８とレンズホルダー８の後側に配置されたホルダーとの間には第４レンズ群として機能する図示しないレンズが光軸方向（前後方向）へ移動可能な状態で配置されている。
【００８９】
鏡筒ケース４の内部にはレンズ駆動装置１０が配置されている（図１乃至図３参照）。レンズ駆動装置１０はレンズ保持枠１１とガイド軸１２、１３とナット部材１４とリードスクリュー１５を有している。
【００９０】
レンズ保持枠１１は、図５乃至図８に示すように、前後方向を向く保持面部１６と保持面部１６の左上部から前後へ突出されたスリーブ部１７とスリーブ部１７の上側に設けられたナット支持部１８とを有している。
【００９１】
保持面部１６の略中央部には、例えば、複数のレンズ１９、１９、・・・が保持されており、レンズ１９、１９、・・・は第２レンズ群として機能する。保持面部１６の右下部は被ガイド部２０として設けられている。被ガイド部２０には前後に貫通された被支持孔２０ａが形成されている（図９参照）。
【００９２】
スリーブ部１７は前後方向に長く形成され、前端部と後端部にそれぞれ被ガイド部２１、２１が設けられている（図５乃至図８参照）。被ガイド部２１、２１にはそれぞれ前後に貫通された被支持孔２１ａ、２１ａが形成され、被支持孔２１ａ、２１ａにはそれぞれ軸方向に直交する方向へ突出され先細りの形状を有する被ガイド側楔部２１ｂ、２１ｂが形成されている（図９参照）。
【００９３】
ナット支持部１８はスリーブ部１７の上面と保持面部１６の上面とに跨って取り付けられたベース部２２とベース部２２の前後両端部からそれぞれ上方へ突出された軸受部２３、２３とを有している（図５乃至図８参照）。
【００９４】
ベース部２２のうち保持面部１６の上面に取り付けられた部分には、後面に保持部２２ａが形成されている。保持部２２ａは下方へ行くに従って前方へ変位する傾斜面に形成されている。
【００９５】
軸受部２３、２３にはそれぞれ前後に貫通された軸受孔２３ａ、２３ａが形成され、例えば、前側の軸受孔２３ａには軸方向に直交する方向へ突出され先細りの形状を有する受側楔部２３ｂが形成されている（図９参照）。
【００９６】
ガイド軸１２、１３はレンズ保持枠１１を前後方向（光軸方向）へ案内するガイド部として機能し、ガイド軸１２はレンズ保持枠１１の被ガイド部２０の被支持孔２０ａに挿通され、ガイド軸１３はレンズ保持枠１１の被ガイド部２１、２１の被支持孔２１ａ、２１ａに挿通される（図５乃至図８参照）。ガイド軸１２、１３がそれぞれ被支持孔２０ａ、２１ａ、２１ａに挿通されることにより、レンズ保持枠１１がガイド軸１２、１３に摺動自在に支持される。
【００９７】
ガイド軸１２、１３の表面（外周面）にはフッ素コーティングが施されている。尚、ガイド軸１２、１３の外周面に代えて、レンズ保持枠１１の被ガイド部２０、２１に形成された被支持孔２０ａ、２１ａの周面にフッ素コーティングを施してもよい。
【００９８】
このようにガイド軸１２、１３の外周面又は被支持孔２０ａ、２１ａの周面にフッ素コーティングを施すことにより、レンズ保持枠１１がガイド軸１２、１３によって案内されるときの摺動抵抗を小さくしてレンズ保持枠１１の円滑な移動状態を確保することができる。
【００９９】
ガイド軸１２は、後端部が鏡筒ケース４に設けられた下側の軸受突部４ｅに支持され、前端部が蓋部材５に設けられた下側の軸受突部５ｃに支持される。ガイド軸１３は、後端部が鏡筒ケース４に設けられた上側の軸受突部４ｅに支持され、前端部が蓋部材５に設けられた上側の軸挿通孔５ｂに挿通されて支持される。
【０１００】
ナット部材１４は、図５乃至図８に示すように、前後に延びる軸状の基部２４と基部２４の前後両端面からそれぞれ前方及び後方へ突出された軸部２５、２６と基部２４の外周面から突出された噛合部２７とから成る。軸部２５、２６の径は基部２４の径より小さくされている。
【０１０１】
軸部２５には軸方向に直交する方向へ突出され先細りの形状を有する軸側楔部２５ａが設けられている（図９参照）。
【０１０２】
噛合部２７は略Ｕ字状に形成され内面にラック部２７ａが形成されている（図５乃至図８参照）。噛合部２７には前面から前方へ突出された被保持部２７ｂが設けられている。
【０１０３】
ナット部材１４は軸部２５、２６がそれぞれ軸受部２３、２３の軸受孔２３ａ、２３ａに挿入され、ナット支持部１８に回動可能に支持されている。
【０１０４】
リードスクリュー１５は支持板金２８に軸回り方向へ回転可能に支持されている（図８参照）。支持板金２８は上下方向を向き前後に延びる連結板部２８ａと連結板部２８ａの前後両端部からそれぞれ下方へ突出された支持板部２８ｂ、２８ｂとから成る。リードスクリュー１５は前後両端部がそれぞれ支持板部２８ｂ、２８ｂに支持されている。
【０１０５】
後側の支持板部２８ｂの後面にはモーター２９が固定されており、モーター２９の回転軸にリードスクリュー１５の後端部が固定されている。
【０１０６】
リードスクリュー１５はナット部材１４の噛合部２７に形成されたラック部２７ａに噛合される。従って、モーター２９の回転に伴ってリードスクリュー１５が回転されると、リードスクリュー１５によってナット部材１４が前後方向（光軸方向）へ送られ、リードスクリュー１５とレンズ保持枠１１と第２レンズ群として機能するレンズ１９、１９、・・・とが一体になってガイド軸１２、１３に案内されて光軸方向へ移動される。
【０１０７】
ナット部材１４はラック部２７ａが略左方を向きリードスクリュー１５に噛合される噛合位置（図１０及び図１１参照）と被保持部２７ｂがナット支持部１８の保持部１８ａに係合されラック部２７ａが略上方を向いた状態で保持される保持位置（図１２参照）との間でナット支持部１８に対して回動可能とされる。
【０１０８】
ナット部材１４がナット支持部１８に支持された状態においては、ナット部材１４の後側の軸部２６に付勢バネ３０が支持される。付勢バネ３０としては、例えば、圧縮コイルバネが用いられており、付勢バネ３０はコイル部３０ａとコイル部３０ａの前端から右方側へ突出された第１の係合部３０ｂとコイル部３０ａの後端から右方側へ突出された第２の係合部３０ｃとから成る。
【０１０９】
付勢バネ３０はコイル部３０ａが軸部２６に外嵌状に支持され、第１の係合部３０ｂがナット部材１４における噛合部２７の下面に下方側から接触され、第２の係合部３０ｃがナット支持部１８におけるベース部２２の右側面に右側から接触されている。従って、付勢バネ３０のコイル部３０ａによってナット部材１４がナット支持部１８に対して前方へ付勢され、付勢バネ３０の第１の係合部３０ｂによってナット部材１４が保持位置から噛合位置へ回動される方向へ付勢され、付勢バネ３０の第２の係合部３０ｃによってレンズ保持枠１１が略左方へ移動される方向へ付勢される。
【０１１０】
［付勢バネと楔部による作用効果等］
付勢バネ３０のコイル部３０ａによってナット部材１４がナット支持部１８に対して前方へ付勢されることにより、軸部２４の前面が前側の軸受部２３に後方から押し付けられる。
【０１１１】
従って、ナット部材２４とレンズ保持枠１１の間のがたつきが防止され、レンズ保持枠１１に保持されたレンズ１９、１９、・・・の光軸方向における位置が安定化され、レンズ１９、１９、・・・に対する位置検出の精度が向上し、ズーミングやフォーカシングの動作の信頼性の向上を図ることができる。
【０１１２】
付勢バネ３０の第１の係合部３０ｂによってナット部材１４が保持位置から噛合位置へ回動される方向へ付勢されることにより、ナット部材１４の軸部２５に設けられた軸側楔部２５ａがナット支持部１８の軸受部２３に形成された受側楔部２３ｂに押し付けられる。このとき軸部２５には、図１３に示すように、円形状の部分（点線と点線の延長線とによって形成される部分）の中心Ｐを基準とせず軸側楔部２５ａに含まれる点Ｑを基準とした回転トルクが発生する。即ち、軸部２５には点Ｑから軸側楔部２５ａと受側楔部２３ｂの接点Ｓ、Ｓまでの距離Ｌ、Ｌに応じた回転トルク（回転モーメント）が発生する。
【０１１３】
このように距離Ｌが小さいため、リードスクリュー１５の回転時にリードスクリュー１５の回転軸が偏心するようなうねりが発生したときに、このうねりによって発生する振動等がナット部材１４からレンズ保持枠１０を介してレンズ１９、１９、・・・に大きな振動等として伝達されることがない。従って、像揺れや像飛び等の発生を抑制することができる。
【０１１４】
また、リードスクリュー１５の回転時に発生するうねりによる振動等がレンズ１９、１９、・・・に伝達され難いため、レンズ駆動装置１０の良好な駆動性能を確保することができる他、姿勢差やノイズの低減を図ることが可能である。
【０１１５】
さらに、リードスクリュー１５の回転時に発生するうねりによる振動等がレンズ１９、１９、・・・に伝達され難いため、その分、リードスクリュー１５とレンズ保持枠１１やナット部材１４との距離を短縮化して小型化を図ることが可能であり、また、付勢バネ３０の圧縮公差の緩和による製造コストの低減を図ることも可能である。
【０１１６】
尚、上記には、ナット部材１４に軸部２５、２６を設け、ナット支持部１８に軸部２５、２６がそれぞれ挿入されて支持される軸受孔２３ａ、２３ａを形成した例を示したが、逆に、ナット部材に軸受孔を形成しナット支持部に軸部を設けてナット支持部にナット部材が支持される構成とすることも可能である。
【０１１７】
付勢バネ３０の第２の係合部３０ｃによってレンズ保持枠１１が略左方へ移動される方向へ付勢されることにより、レンズ保持枠１１の被ガイド部２１に形成された被ガイド側楔部２１ｂがガイド軸１３に押し付けられる。このとき被ガイド側楔部２１ｂとガイド軸１３の接触面積が、押し付けられる方向において最小となるように被ガイド部２１が形成されている。
【０１１８】
従って、レンズ保持枠１１のガイド軸１３に対する摺動抵抗が小さいため、レンズ保持枠１１がガイド軸１３に対して円滑に光軸方向へ移動され、像揺れや像飛び等の発生を抑制することができる。
【０１１９】
また、レンズ駆動装置１０の良好な駆動性能を確保することができる他、姿勢差やノイズの低減を図ることが可能である。
【０１２０】
さらに、レンズ保持枠１１のガイド軸１２、１３に対する摺動抵抗が小さいため、各部品の精度の緩和を図ることが可能であり、その分、製造コストの低減を図ることも可能である。
【０１２１】
尚、上記には、レンズ保持枠１１の被ガイド部２１に被ガイド側楔部２１ｂを形成した例を示したが、これに代えてガイド軸１２、１３の径を被ガイド部２０、２１の被支持孔２０ａ、２１ａの径に対して可能な限り小さくする構成とすることも可能である。
【０１２２】
ガイド軸１２、１３の径を被支持孔２０ａ、２１ａの径に対して可能な限り小さくすることにより、レンズ保持枠１１のガイド軸１２、１３に対する摺動抵抗が小さくなり、像揺れや像飛び等の発生を抑制することができる。
【０１２３】
また、レンズ駆動装置１０の良好な駆動性能を確保することができる他、姿勢差やノイズの低減を図ることが可能であり、各部品の精度の緩和による製造コストの低減を図ることも可能である。
【０１２４】
尚、上記のように、撮像装置１にあっては、付勢バネ３０として圧縮コイルバネを用いているため、簡素な機構によって各部を付勢バネ３０によって所望の方向へ付勢することができ、部品点数の削減及び製造コストの低減を図ることができる。
【０１２５】
また、付勢バネ３０をコイル部３０ａとコイル部３０ａの一端から突出された第１の係合部３０ｂとコイル部３０ａの他端から突出された第２の係合部３０ｃとによって構成し、ナット部材１４とレンズ保持枠１１がコイル部３０ａの軸回り方向において互いに反対方向へ付勢されるようにしている。
【０１２６】
従って、ナット部材１４とレンズ保持枠１１を確実かつ容易に所望の方向へ付勢することができ、部品点数の削減及び製造コストの低減を図った上で、各部の適正な動作状態を確保することができる。
【０１２７】
［レンズ保持枠等の鏡筒ケースに対する組付］
以下に、レンズ保持枠１１等を鏡筒ケース４に対して組み付けるときの手順について説明する（図１４乃至図２０参照）。
【０１２８】
先ず、ガイド軸１２、１３をそれぞれ鏡筒ケース４の挿入開口部４ａから挿入して各後端部を軸受突部４ｅ、４ｅの受け凹部に挿入する。ガイド軸１２、１３の各後端部は軸受突部４ｅ、４ｅの受け凹部に、例えば、圧入されて保持される。
【０１２９】
次に、ナット部材１４を付勢バネ３０の付勢力に抗してナット支持部１８に対して保持位置へ向けて回動する。ナット部材１４を保持位置へ向けて回動すると、被保持部２７ｂがナット支持部１８の保持部２２ａに摺動される。このとき被保持部２７ｂが付勢バネ３０の前後方向及び軸回り方向における付勢力によって保持部２２ａに押し付けられ、ナット部材１４が保持位置において側方へ傾斜された状態で保持される（図１４参照）。
【０１３０】
次いで、レンズ保持枠１１の被支持孔２０ａ、２１ａにそれぞれガイド軸１２、１３を挿入しレンズ保持枠１１及びナット部材１４をガイド軸１２、１３に沿って挿入開口部４ａから後方へ移動させ鏡筒ケース４の内部に収納する（図１５参照）。
【０１３１】
このとき、上記したように、ナット部材１４が保持位置において側方へ傾斜された状態で保持されているため、ナット部材１４が鏡筒ケース４の上端部に接触することなく、後方へ移動されて鏡筒ケース４の内部に収納される。
【０１３２】
このように撮像装置１にあっては、レンズ保持枠１１のナット支持部１８にナット部材１４を保持位置に保持する保持部２２ａを設けているため、ナット部材１４の鏡筒ケース４に対する接触を回避するために鏡筒ケース４を大きくする必要がない。従って、大型化を来たすことなく鏡筒ケース４に対するレンズ保持枠１１及びナット部材１４の組付性の向上が図られ、歩留まりの向上及び製造コストの低減を図ることができる。
【０１３３】
また、付勢バネ３０の付勢力によってナット部材１４の被保持部２７ｂを保持部２２ａに押し付けてナット部材１４を保持位置に保持しているため、ナット部材１４を保持位置に保持するための専用のバネ部材を必要とせず、部品点数の削減による製造コストの低減を図ることができる。
【０１３４】
上記したようにレンズ保持枠１１及びナット部材１４を後方へ移動させていくと、保持位置に保持されているナット部材１４の後端部に鏡筒ケース４の解除部４ｄの傾斜面が摺接される。ナット部材１４の後端部に解除部４ｄが摺接されると、解除部４ｄによってナット部材１４に保持位置から噛合位置へ向けての回動力が付与され、ナット部材１４は付勢バネ３０の前後方向における付勢力に抗して後方へ移動されながら噛合位置へ向けてナット支持部１８に対して回動されていく（図１６参照）。
【０１３５】
ナット部材１４が保持位置から噛合位置へ向けて回動されるときに、被保持部２７ｂと保持部２２ａの係合が解除され、ナット部材１４は付勢バネ３０の軸回り方向への付勢力によって噛合位置まで回動される（図１７参照）。噛合位置まで回動されたナット部材１４は鏡筒ケース４に形成された挿通孔４ｂに位置される。
【０１３６】
次いで、蓋部材５を鏡筒ケース４の前面に取り付ける（図１８参照）。このとき蓋部材５に形成された軸挿通孔５ｄ、５ｂにそれぞれガイド軸１２、１３の前端部が挿入されガイド軸１２、１３が蓋部材５に保持される。
【０１３７】
次に、レンズ保持部材６が蓋部材５の前面に取り付けられる（図１９参照）。尚、このとき、レンズ保持部材６のフランジ部６ｂの後面によってガイド軸１２、１３が前方から押さえられるように構成することも可能である。
【０１３８】
続いて、噛合位置に保持されているナット部材１４の噛合部２７にリードスクリュー１５が挿入され、噛合部２７のラック部２７ａにリードスクリュー１５が噛合される（図２０参照）。このときリードスクリュー１５及びリードスクリュー１５が支持された支持板金２８が鏡筒ケース４の挿通孔４ｂに上方から挿入されると共にモーター２９が鏡筒ケース４の配置用凹部４ｃに配置され、支持板金２８が鏡筒ケース４にネジ止め等によって取り付けられる。
【０１３９】
上記のように撮像装置１にあっては、鏡筒ケース４の内部にナット部材１４の保持位置への保持状態を解除する解除部４ｄを設けているため、レンズ保持枠１１及びナット部材１４が鏡筒ケース４に収納されたときにナット部材１４が噛合位置へ向けて回動され、リードスクリュー１５のナット部材１４への組付を迅速かつ円滑に行うことができる。
【０１４０】
尚、上記には、ナット部材１４を付勢バネ３０の前後方向及び軸回り方向における付勢力によって保持位置に保持する例を示したが、図２１に示すように、保持部２２ａに側方を向く段差面２２ｂを形成し、被保持部２７ｂを段差面２２ｂに係合させてナット部材１４を付勢バネ３０の軸回り方向における付勢力によって保持位置に保持することも可能である。
【０１４１】
［その他］
上記には、ナット部材１４における噛合部２７に被保持部２７ｂを設けた例を示したが、被保持部は噛合部２７に限らず、例えば、基部２４の前面又は後面に被保持部２４ａとして設けられてもよい（図２２参照）。基部２４の前面又は後面に被保持部２４ａを設けた場合には、レンズ保持枠１１におけるナット支持部１８の前側に位置する軸受部２３の後面又は後側に位置する軸受部２３の前面に保持部２３ｃを形成すればよい。
【０１４２】
このように基部２４に被保持部２４ａを設け軸受部２３に保持部２３ｃを形成した場合においては、ナット部材１４がナット支持部１８に対して回動され被保持部２４ａが保持部２３ｃに付勢バネ３０の前後方向における付勢力によって係合したときにナット部材１４が保持位置に保持される。
【０１４３】
また、鏡筒ケース４の解除部４ｄによってナット部材１４に保持位置から噛合位置へ向けての回動力が付与されることにより、被保持部２４ａの保持部２３ｃに対する係合が解除されてナット部材１４が付勢バネ３０の付勢力によって噛合位置へ向けてナット支持部１８に対して回動される。
【０１４４】
上記したリードスクリュー１５及びリードスクリュー１５が支持された支持板金２８が鏡筒ケース４の挿通孔４ｂに上方から挿入されるときには、以下のように、ナット部材１４の保持位置における保持状態を解除することが可能である。
【０１４５】
先ず、保持位置にあるナット部材１４の噛合部２７にリードスクリュー１５を上方から挿入する（図２３参照）。このとき噛合部２７が側方へ傾斜された状態にあるため、リードスクリュー１５は鏡筒ケース４に対する正規の取付位置より側方において上方から挿通孔４ｂに挿入され、ラック部２７ａの上端部に噛合される。
【０１４６】
次いで、リードスクリュー１４と支持板金２８を側方へ移動させる（図２４参照）。リードスクリュー１４と支持板金２８を側方へ移動させると、ナット部材１４がナット支持部１８に対して回動されて被保持部２４ａの保持部２３ｃに対する係合が解除されると共にリードスクリュー１５が噛合部２７の内部に挿入されていく。
【０１４７】
リードスクリュー１５と支持板金２８が鏡筒ケース４に対する正規の取付位置まで側方へ移動されたときに、支持板金２８が鏡筒ケース４にネジ止め等によって取り付けられる。
【０１４８】
このようにリードスクリュー１５と支持板金２８を側方へ移動させてナット部材１４がナット支持部１８に対して回動されて保持位置への保持状態が解除されるようにすることにより、リードスクリュー１５の鏡筒ケース４に対する取付時にナット部材１４の保持位置における保持状態が解除される。
【０１４９】
従って、ナット部材１４の保持位置における保持状態を解除するための専用の部品が不要であり、ナット部材１４の保持位置における保持状態の解除をリードスクリュー１５の鏡筒ケース４への取付時に簡単かつ確実に行うことができる。
【０１５０】
また、リードスクリュー１５の鏡筒ケース４に対する取付時にナット部材１４の保持位置における保持状態が解除されるため、鏡筒ケース４に対する各部の組付作業を迅速に行うことができ、組付作業における作業性の向上を図ることができる。
【０１５１】
尚、リードスクリュー１５の鏡筒ケース４に対する取付時にナット部材１４の保持位置における保持状態を解除する上記した方法は、上記した噛合部２７に設けられた被保持部２７ｂとナット支持部１８に設けられた保持部２２ａとの係合を解除する場合においても用いることが可能である。
【０１５２】
［撮像装置の一実施形態］
図２５に、本発明撮像装置の一実施形態によるビデオカメラのブロック図を示す。
【０１５３】
撮像装置（ビデオカメラ）１００は、撮像機能を担うカメラブロック４０と、撮影された画像信号のアナログ−デジタル変換等の信号処理を行うカメラ信号処理部４１と、画像信号の記録再生処理を行う画像処理部４２とを有している。また、撮像装置１００は、撮影された画像等を表示する液晶パネル等の画像表示部４３と、メモリーカード１０００への画像信号の書込及び読出を行うＲ／Ｗ（リーダ／ライタ）４４と、撮像装置の全体を制御するＣＰＵ（Central Processing Unit）４５と、ユーザーによって所要の操作が行われる各種のスイッチ等から成る入力部４６と、カメラブロック４０に配置されたレンズの駆動を制御するレンズ駆動制御部４７とを備えている。
【０１５４】
カメラブロック４０は、レンズ群４８を含む光学系や、ＣＣＤ（Charge Coupled Device）やＣＭＯＳ（Complementary Metal-Oxide Semiconductor）等の撮像素子４９等とによって構成されている。
【０１５５】
カメラ信号処理部４１は、撮像素子４９からの出力信号に対するデジタル信号への変換、ノイズ除去、画質補正、輝度・色差信号への変換等の各種の信号処理を行う。
【０１５６】
画像処理部４２は、所定の画像データーフォーマットに基づく画像信号の圧縮符号化・伸張復号化処理や解像度等のデーター仕様の変換処理等を行う。
【０１５７】
画像表示部４３はユーザーの入力部４６に対する操作状態や撮影した画像等の各種のデーターを表示する機能を有している。
【０１５８】
Ｒ／Ｗ４４は、画像処理部４２によって符号化された画像データーのメモリーカード１０００への書込及びメモリーカード１０００に記録された画像データーの読出を行う。
【０１５９】
ＣＰＵ４５は、撮像装置１００に設けられた各回路ブロックを制御する制御処理部として機能し、入力部４６からの指示入力信号等に基づいて各回路ブロックを制御する。
【０１６０】
入力部４６は、例えば、シャッター操作を行うためのシャッターレリーズボタンや、動作モードを選択するための選択スイッチ等によって構成され、ユーザーによる操作に応じた指示入力信号をＣＰＵ４５に対して出力する。
【０１６１】
レンズ駆動制御部４７は、ＣＰＵ４５からの制御信号に基づいてレンズ群４８の各レンズを駆動する図示しないモータ等を制御する。
【０１６２】
メモリーカード１０００は、例えば、Ｒ／Ｗ４４に接続されたスロットに対して着脱可能な半導体メモリーである。
【０１６３】
以下に、撮像装置１００における動作を説明する。
【０１６４】
撮影の待機状態では、ＣＰＵ４５による制御の下で、カメラブロック４０において撮影された画像信号が、カメラ信号処理部４１を介して画像表示部４３に出力され、カメラスルー画像として表示される。また、入力部４６からのズーミングのための指示入力信号が入力されると、ＣＰＵ４５がレンズ駆動制御部４７に制御信号を出力し、レンズ駆動制御部４７の制御に基づいてレンズ群４８の所定のレンズが移動される。
【０１６５】
入力部４６からの指示入力信号によりカメラブロック４０の図示しないシャッターが動作されると、撮影された画像信号がカメラ信号処理部４１から画像処理部４２に出力されて圧縮符号化処理され、所定のデーターフォーマットのデジタルデーターに変換される。変換されたデーターはＲ／Ｗ４４に出力され、メモリーカード１０００に書き込まれる。
【０１６６】
尚、フォーカシングは、ＣＰＵ４５からの制御信号に基づいてレンズ駆動制御部４７がレンズ群４８の所定のレンズを移動させることにより行われる。
【０１６７】
メモリーカード１０００に記録された画像データーを再生する場合には、入力部４６に対する操作に応じて、Ｒ／Ｗ４４によってメモリーカード１０００から所定の画像データーが読み出され、画像処理部４２によって伸張復号化処理が行われた後、再生画像信号が画像表示部４３に出力されて再生画像が表示される。
【０１６８】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１６９】
【図１】図２乃至図２５と共に本発明の最良の形態を示すものであり、本図は、撮像装置の概略断面図である。
【図２】レンズ鏡筒の分解斜視図である。
【図３】レンズ鏡筒を図２とは異なる方向から見た状態で示す分解斜視図である。
【図４】レンズ鏡筒の斜視図である。
【図５】レンズ保持枠とナット部材と付勢バネを示す拡大分解斜視図である。
【図６】レンズ保持枠がガイド軸に支持されナット部材がレンズ保持枠に支持された状態を示す拡大斜視図である。
【図７】レンズ保持枠がガイド軸に支持されナット部材がレンズ保持枠に支持された状態を図６とは異なる方向から見た状態で示す拡大斜視図である。
【図８】レンズ保持枠がガイド軸に支持されナット部材がレンズ保持枠に支持されリードスクリューがナット部材に噛合された状態を示す拡大斜視図である。
【図９】レンズ保持枠がガイド軸に支持されナット部材がレンズ保持枠に支持された状態を示す拡大正面図である。
【図１０】ナット部材が噛合位置に保持された状態を示す拡大斜視図である。
【図１１】ナット部材が噛合位置に保持されてリードスクリューが噛合された状態を示す拡大斜視図である。
【図１２】ナット部材が保持位置に保持された状態を示す拡大斜視図である。
【図１３】付勢バネと楔部による作用効果等を説明するための模式図である。
【図１４】被保持部が保持部に係合されてナット部材が保持位置に保持された状態を示す拡大平面図である。
【図１５】レンズ保持枠とナット部材が鏡筒ケースの内部に挿入されている状態を示す斜視図である。
【図１６】被保持部の保持部に対する係合が解除されてナット部材が噛合位置に保持された状態を示す拡大平面図である。
【図１７】レンズ保持枠とナット部材が鏡筒ケースの内部に収納されナット部材が保持位置から噛合位置まで回動された状態を示す斜視図である。
【図１８】レンズ保持枠とナット部材が鏡筒ケースの内部に収納された状態において鏡筒ケースに蓋部材が取り付けられた状態を示す斜視図である。
【図１９】レンズ保持枠とナット部材が鏡筒ケースの内部に収納された状態において蓋部材にレンズ保持部材が取り付けられた状態を示す斜視図である。
【図２０】ナット部材の噛合部にリードスクリューが取り付けられ支持板金が鏡筒ケースに取り付けられた状態を示す斜視図である。
【図２１】被保持部が保持部の段差面に係合されてナット部材が保持位置に保持された状態を示す拡大平面図である。
【図２２】被保持部がナット部材の基部に設けられ保持部がナット保持部の軸受部に形成された状態を示す拡大斜視図である。
【図２３】リードスクリューの鏡筒ケースに対する取付時に、保持位置にあるナット部材の噛合部にリードスクリューが挿入された状態を示す拡大正面図である。
【図２４】リードスクリューの鏡筒ケースに対する取付時に、リードスクリューと支持板金が側方へ移動されてナット部材の保持位置における保持状態が解除された状態を示す拡大正面図である。
【図２５】撮像装置のブロック図である。
【符号の説明】
【０１７０】
１…撮像装置、３…レンズ鏡筒、４…鏡筒ケース、４ａ…挿入開口部、４ｄ…解除部、１０…レンズ駆動装置、１１…レンズ保持枠、１２…ガイド軸（ガイド部）、１３…ガイド軸（ガイド部）、１４…ナット部材、１５…リードスクリュー、１８…ナット支持部、１９…レンズ、２０…被ガイド部、２１…被ガイド部、２１ｂ…被ガイド側楔部、２２ａ…保持部、２３…軸受部、２３ｂ…受側楔部、２５ａ…軸側楔部、３０…付勢バネ、３０ａ…コイル部、３０ｂ…第１の係合部、３０ｃ…第２の係合部、２３ｃ…保持部、２４ａ…被保持部、１００…撮像装置、４９…撮像素子
【図１】
2012145837.tif 000003
【図２】
2012145837.tif 000004
【図３】
2012145837.tif 000005
【図４】
2012145837.tif 000006
【図５】
2012145837.tif 000007
【図６】
2012145837.tif 000008
【図７】
2012145837.tif 000009
【図８】
2012145837.tif 000010
【図９】
2012145837.tif 000011
【図１０】
2012145837.tif 000012
【図１１】
2012145837.tif 000013
【図１２】
2012145837.tif 000014
【図１３】
2012145837.tif 000015
【図１４】
2012145837.tif 000016
【図１５】
2012145837.tif 000017
【図１６】
2012145837.tif 000018
【図１７】
2012145837.tif 000019
【図１８】
2012145837.tif 000020
【図１９】
2012145837.tif 000021
【図２０】
2012145837.tif 000022
【図２１】
2012145837.tif 000023
【図２２】
2012145837.tif 000024
【図２３】
2012145837.tif 000025
【図２４】
2012145837.tif 000026
【図２５】
2012145837.tif 000027